(57)【要約】【課題】簡単に釣り餌を押し出すことが可能であり、釣り餌の押し出し作業の煩わしさを解消した釣り餌押出装置を提供すること。【解決手段】押出容器１００のシリンダ部材１１０に釣り餌を収納し、このシリンダ部材１１０に対してピストン部材１２０を押し込んで釣り餌を押出すための釣り餌押出装置であり、駆動力を発生させる駆動源６１と、駆動源６１で発生した駆動力を伝達するための駆動力伝達機構６６等を有している。また、押出容器１００のうちピストン部材１２０側が載置される容器置き部４２を有する支持台４０を備えている。また、シリンダ部材１１０側を係合させて、該シリンダ部材１１０を押さえる係止部３１ａを備え、さらに駆動力伝達機構６６等によって駆動力が伝達されることで、支持台４０又は係止部３１ａを昇降させる昇降ガイド２１を具備する。【選択図】  図２
2004329120.tif 000002
【特許請求の範囲】
【請求項１】
押出口を有するシリンダ部材とピストン部材とを備える押出容器のうち、上記シリンダ部材の内部に釣り餌を収納し、このシリンダ部材に対して上記ピストン部材を押し込むことで、上記釣り餌を上記押出口から押出すための釣り餌押出装置において、
駆動力を発生させる駆動源と、
上記駆動源で発生した駆動力を伝達するための駆動力伝達機構と、
上記押出容器のうち上記ピストン部材側が載置される容器置き部を有する支持台と、
上記押出容器のうち上記シリンダ部材側を接触させて、該シリンダ部材を係止させる係止部と、
上記駆動力伝達機構によって駆動力が伝達されることで、上記支持台又は上記係止部を昇降させる昇降ガイドと、
を具備することを特徴とする釣り餌押出装置。
【請求項２】
前記昇降ガイドは前記支持台を昇降させると共に、前記駆動源には、駆動スイッチが接続されていて、この駆動スイッチとして、
前記支持台が上昇する方向に前記駆動源を駆動させるための正転駆動スイッチと、
前記支持台が下降する方向に前記駆動源を駆動させるための逆転駆動スイッチと、
が存在することを特徴とする請求項１記載の釣り餌押出装置。
【請求項３】
前記逆転駆動スイッチを押し続けて前記駆動源を作動させ続けるための作動継続手段が設けられていると共に、前記支持台が一定の位置まで下降した場合に、前記駆動源を停止させるための駆動停止手段が設けられていることを特徴とする請求項２記載の釣り餌押出装置。
【請求項４】
前記昇降ガイドは、前記駆動力伝達機構による駆動力の伝達で回転駆動させられるネジ軸であると共に、
前記支持台には、
前記ネジ軸と螺合するネジ孔部と、前記ネジ軸を挿通自在とする挿通孔部とを有する長孔が設けられていて、
前記支持台には、付勢力を与えるための付勢部材が接触していて、この付勢手段によって前記ネジ軸を前記ネジ孔部に押し付けるための付勢力が与えられることを特徴とする請求項１から３のいずれか１項に記載の釣り餌押出装置。
【発明の詳細な説明】
【０００１】
【発明の属する技術分野】
本発明は、押出容器の内部に収納されている釣り餌を押し出すための釣り餌押出装置に関する。
【０００２】
【従来の技術】
例えばこい釣りにおいては、従来よりいわゆる「うどん」と呼ばれる練り餌が使用されている。この「うどん」と呼ばれる釣り餌は、筒状のシリンダ部材と、該シリンダ部材の内筒部に嵌め込まれるピストン部材とで構成される押出容器に収納される。押出容器のうち、シリンダ部材の内筒部に釣り餌が所定量収納された状態で、ピストン部材を押すと、シリンダ部材の押出口から、釣り餌が出てくる。
【０００３】
なお、このような押出容器の例としては、登録実用新案第３０１６８０７号公報（以下、特許文献１という。）記載のものがある。
【０００４】
【特許文献１】
登録実用新案第３０１６８０７号公報（図１、図２参照）
【０００５】
【発明が解決しようとする課題】
上述の押出容器を用いて釣り餌を取り出す場合、例えば一方の手でシリンダ部材を把持した状態で、他方の手でピストン部材を押す。それにより、押出口から釣り餌が出てくる。しかしながら、押出容器の使用に際して両手を使用するため、例えば釣り針を手に持てなくなる。そのため、釣り針に釣り餌をつけるのに手間が掛かる等の問題がある。
【０００６】
また、シリンダ部材の内部に、多量の釣り餌を収納した場合には、押出容器の重心が高くなる。そのため、当該押出容器の姿勢が安定せず、倒れ易くなる等の問題がある。特に、シリンダ部材の外周面に、水受け部材を取り付ける場合がある。かかる水受け部の取付状態で、押出容器が倒れると、水がこぼれてしまう等の問題が生じる。
【０００７】
ところで、本出願人は、釣り餌押出装置に関する特許出願を行っている（特願２００１−３６５６７３号）。この特許出願の明細書や図面記載においては、支持台および摘みを有する釣り餌押出装置が記載されている。ユーザは、支持台に押出容器を載置し、その状態で摘みを回転させると、支持台が上昇する。ここで、シリンダ部材のフランジ部が外ケース係合部に係止されるので、シリンダ部材に対してピストン部材が上昇し、押出口から釣り餌が出てくる。
【０００８】
このように、片手で摘みを回すだけで釣り餌が出てくるため、利便性が向上しており、その点で優れている。しかしながら、依然として摘みを手で回転させる必要がある。
【０００９】
特に、押出口から釣り餌が出なくなる場合には、ピストン部材がシリンダ部材の奥深くまで入り込んでいる。この状態では、支持台も相当上昇している。そのため、新たな釣り餌が充填された押出容器を支持台に設置するためには、摘みを相当時間回転させて支持台を下降させる必要が生じる。また、他の作業で両手が塞がっている状態、または寒くて手をポケット等に入れている状態で、押出容器から釣り餌が自動的に押し出されてくると、ユーザにとって非常に便利である。
【００１０】
本発明は上記の事情にもとづきなされたもので、その目的とするところは、簡単に釣り餌を押し出すことが可能であり、釣り餌の押し出し作業の煩わしさを解消した釣り餌押出装置を提供しようとするものである。
【００１１】
【課題を解決するための手段】
上記課題を解決するために、本発明は、押出口を有するシリンダ部材とピストン部材とを備える押出容器のうち、シリンダ部材の内部に釣り餌を収納し、このシリンダ部材に対してピストン部材を押し込むことで、釣り餌を押出口から押出すための釣り餌押出装置において、駆動力を発生させる駆動源と、駆動源で発生した駆動力を伝達するための駆動力伝達機構と、押出容器のうちピストン部材側が載置される容器置き部を有する支持台と、押出容器のうちシリンダ部材側を接触させて、該シリンダ部材を係止させる係止部と、駆動力伝達機構によって駆動力が伝達されることで、支持台又は係止部を昇降させる昇降ガイドと、を具備するものである。
【００１２】
このようにすると、内部に釣り餌が収納された押出容器を支持台に載置し、駆動源を駆動させる。すると、昇降ガイドでのガイドにより、支持台又は係止部が駆動源の駆動によって駆動される。ここで、係止部の存在により、シリンダ部材は係止される。そのため、シリンダ部材にピストン部材が入り込むように駆動源を駆動させても、シリンダ部材の移動が規制され、ピストン部材をシリンダ部材の内部に入り込ませることができる。それによって、シリンダ部材の押出口から、釣り餌を自動的に押し出すことができる。
【００１３】
すなわち、駆動源の作動により、押出口から釣り餌が自動的に押し出されるので、ユーザは、摘みを手で掴んで回す、といった煩わしい動作から開放され、利便性が向上する。特に、押出容器の内部の釣り餌がなくなった場合等、摘みを相当な時間の間、回転させる必要がある場合でも、その煩わしさから開放される。また、釣り餌が押出口から自動的に押し出されるので、その間、ユーザの手が掛からず、ユーザは他の作業を手で行ったり、ポケットに手を入れて寒さを防ぐことができる。
【００１４】
また、他の発明は、上述の発明に加えて更に、昇降ガイドは前記支持台を昇降させると共に、駆動源には、駆動スイッチが接続されていて、この駆動スイッチとして、支持台が上昇する方向に駆動源を駆動させるための正転駆動スイッチと、支持台が下降する方向に駆動源を駆動させるための逆転駆動スイッチと、が存在している。このため、正転方向、および逆転方向のいずれの方向に対しても、駆動源を駆動させ、支持台を自在に昇降させることができる。
【００１５】
さらに、他の発明は、上述の各発明に加えて更に、逆転駆動スイッチを押し続けて駆動源を作動させ続けるための作動継続手段が設けられていると共に、支持台が一定の位置まで下降した場合に、駆動源を停止させるための駆動停止手段が設けられているものである。
【００１６】
このため、作動継続手段を用いて逆転駆動スイッチを押し続けた状態とすることで、支持台は一定の位置まで下降し続ける。すなわち、ユーザが逆転駆動スイッチから指を離した場合でも、支持台を下降させ続けることができる。そして、支持台が一定の位置まで下降した場合、駆動停止手段の作動によって、駆動源の駆動が停止される。それにより、例えば支持台が基台等の他の部材にぶつかった状態で、モータ等の駆動源が作動し続けるのを防止することができ、該駆動源の破損を防ぐことができる。また、駆動停止手段の作動で駆動源の駆動が停止されるので、電池の消費を節約することも可能となる。
【００１７】
また、他の発明は、上述の各発明に加えて更に、昇降ガイドは、駆動力伝達機構による駆動力の伝達で回転駆動させられるネジ軸であると共に、支持台には、ネジ軸と螺合するネジ孔部と、ネジ軸を挿通自在とする挿通孔部とを有する長孔が設けられていて、支持台には、付勢力を与えるための付勢部材が接触していて、この付勢手段によってネジ軸をネジ孔部に押し付けるための付勢力が与えられるものである。
【００１８】
このようにすることで、通常は付勢手段の作用によって、ネジ孔部は、ネジ軸に押し付けられている。そのため、駆動源が駆動した場合には、これらネジ軸とネジ孔部との螺合によって、支持台は昇降可能となる。また、支持台を手で把持して、付勢手段の付勢力に逆らってネジ軸が挿通孔部に位置するようにすれば、当該ネジ孔部がネジ軸と螺合している状態が解除される。そのため、支持台を、ネジ軸に対して自在に昇降させることが可能となる。
【００１９】
【発明の実施の形態】
以下、本発明の一実施の形態について、図１から図４に基づいて説明する。図１は、本発明の一実施の形態に係る釣り餌押出装置１０の構成を示す斜視図である。また、図２は、本発明の一実施の形態に係る釣り餌押出装置１０の側面図である。
【００２０】
図１、図２に示すように、釣り餌押出装置１０は、基台１１を有している。この基台１１は、例えば金属（真鍮等）を材質とした、平面形状が矩形状の板状部材である。この基台１１を重い材質とすることで、釣り餌押出装置１０の重心を下方にし、安定性を向上させている。この基台１１の裏面には、例えばゴムスポンジを材質とする滑り止め１２が取り付けられている。それによって、釣り餌押出装置１０が滑り易い場所に設置された場合でも、該釣り餌押出装置１０が滑らない。
【００２１】
図２に示すように、基台１１には、例えばボルト２０ａとパイプ２０ｂから構成される支柱２０が取り付けられている。支柱２０は、基台１１の表面から上方に向かって、所定の長さだけ延伸している。この支柱２０の上端には、天板３０が取り付けられている。天板３０は、その縦横の寸法が、基台１１と同様となっている。この天板３０には、開放部３１が設けられている。開放部３１は、天板３０を、その一側面からＵ字状に切り取ることによって構成される部分である。この開放部３１には、後述する押出容器１００が位置する。
【００２２】
なお、天板３０の下面のうち、開放部３１の下面３０ａ側（基台１１と対向する面、図２参照）の周囲の部分は、後述するシリンダ部材１１０のフランジ部１１４が係止される係止部３１ａとなっている。
【００２３】
基台１１と天板３０との間には、昇降ガイドとしての２本のネジ軸２１が回転自在に設けられている。ネジ軸２１は、開放部３１を挟んで対称となる位置に、１本ずつ設けられている。また、２本のネジ軸２１は、ネジピッチや長さ等が同一となっている。このネジ軸２１は、その上下両端部が、基台１１および天板３０に夫々形成されている軸受凹部１３，３２に差し込まれている。
【００２４】
なお、軸受凹部１３，３２への差し込みを考慮すると、ネジ軸２１の両端部には、ネジ山を形成しないのが好ましく、また両端部は、ネジ山が形成されている部分よりも細径であることが望ましい。しかしながら、かかる両端部に、ネジ軸２１の他の部分と同様なネジ山が形成されていても良く、また両端部はネジ山が形成されている部分と同一の外径を有していても良い。その場合には、軸受凹部１３，３２の内径も、ネジ山の形成に対応して大きくなる。
【００２５】
これら一対のネジ軸２１は、支持台４０を支持している。支持台４０は、図１に示すように、後述するモータ６１の作動によって２つのネジ軸２１が回転された場合に、該両ネジ軸２１の回転に伴なって、ネジ軸２１に沿った昇降を行う部分である。このため、支持台４０には、その長手の一端側および他端側の夫々の部分に、ネジ山を有する一対のネジ孔４１が設けられている。なお、これらネジ孔４１は、一対のネジ軸２１の間隔に対応した配置となっている。それにより、支持台４０のネジ孔４１には、ネジ軸２１が良好に嵌め込まれ、ネジ係合している。
【００２６】
支持台４０は、その奥行き寸法が、基台１１および天板３０の奥行き寸法の略半分程度である。そのため、釣り餌押出装置１０のうち支持台４０が存在しない奥側部位（図２の右方）に、後述するモータ６１等の駆動機構６０を設けることができる。
【００２７】
図１および図２に示すように、支持台４０には、後述する押出容器１００が載置される容器置き部４２が存在する。この容器置き部４２は、支持台４０のうち、各ネジ孔４１が形成されている部分よりも窪んでいる。そのため、支持台４０の中で容器置き部４２の肉厚が薄くなり、押出容器１００を構成するピストン部材１２０のストローク量をかせいでいる。なお、容器置き部４２は、後述するフランジ部１１４および台座部１２２の直径に対応した幅寸法を有している。
【００２８】
なお、以下の説明では、窪んでいる容器置き部４２の両隣に存在する突出部分を、肉厚部４３と呼ぶ。
【００２９】
また、支持台４０の背面側（奥側）には、薄板状の仕切り壁５０が、該支持台４０の長手に沿うように設けられている。仕切り壁５０の存在により、押出容器１００が置かれる部位と、モータ６１等の駆動機構６０が設けられている部位とが明確に仕切られる。それにより、例えば押出容器１００から溢れた釣り餌１０１（図４参照）、または水受け部材１３０から溢れた水が、駆動機構６０側に侵入するのを防ぐことができる。なお、仕切り壁５０は、例えば支柱２０に取り付けられているが、この仕切り壁５０が、支柱２０以外の基台１１や天板３０等、他の部位に取り付けられていても良い。
【００３０】
また、図１および図３に示すように、仕切り壁５０には、その基台１１側の下縁部において、後述するキャタピラベルト７１を通過させる貫通孔５１が設けられている。キャタピラベルト７１は、仕切り壁５０の長手方向の両端に配置されている２つの歯車プーリ７２を駆動させるためのものであり、本実施の形態では、上述の貫通孔５１も、仕切り壁５０の長手方向の両端に、夫々形成されている。また、仕切り壁５０には、後述する検知センサ８０に接続される配線を通過させる貫通孔５２（図３参照）も形成されている。
【００３１】
図２および図３に示すように、釣り餌押出装置１０のうち、その奥側（支持台４０の背面側）には、駆動機構６０が設けられている。駆動機構６０は、駆動源としてのモータ６１を有している。モータ６１は、例えば支柱２０に対してネジ６２ａ、支持板６２ｂ等を介して支持されていて、本実施の形態では、該モータ６１の回転軸６１ａが、基台１１に対して略並行である。しかしながら、モータ６１の固定は、支柱２０以外の部分（例えば基台１１の上面や天板３０の下面等）であっても良い。
【００３２】
このモータ６１には、配線を介して電源部６３が接続されている。電源部６３は、図１〜図３に示すように、電池６３ｂを入れるための電池ケース６３ａを有している。本実施の形態では、電池ケース６３ａには、２本の単三の乾電池６３ｂ（図１参照）が差し込まれ、モータ６１はこの乾電池の電力によって駆動される。しかしながら、電源部６３は、どのような構成であっても良く、例えば充電式でかつ取り外し可能なバッテリを具備していても良い。なお、電池ケース６３ａは、基台１１に固定されているＬ字状の支持部材６４に取り付けられている。
【００３３】
図２、図３に示すように、モータ６１の回転軸６１ａには、駆動ギヤ６５が取り付けられている。また、モータ６１の駆動力（駆動ギヤ６５に伝達された駆動力）を伝達するために、複数のギヤから構成される減速ギヤ輪列６６が設けられている。なお、減速ギヤ輪列６６は、ウオームギヤ６７および該ウオームギヤ６７に噛み合うウオームホイール６８を有している。このうち、ウオームホイール６８は、基台１１に対して略垂直であると共に回転可能な回転軸６９に取り付けられている。
【００３４】
また、図２に示すように、回転軸６９の基台１１側には、ウオームホイール６８と同期回転するベルト駆動ギヤ７０が取り付けられている。ベルト駆動ギヤ７０には、キャタピラベルト７１の歯部７１ａが噛合している（図３参照）。歯部７１ａは、キャタピラベルト７１の内周全面に亘って設置されているが、図３では、その一部のみを示している。
【００３５】
キャタピラベルト７１は、一対の歯車プーリ７２と噛み合っている。一対の歯車プーリ７２は、図１および図２に示すように、ネジ軸２１の下端部（基台１１側の端部）に取り付けられている。これら一対の歯車プーリ７２は、共にキャタピラベルト７１と噛み合っている。そのため、キャタピラベルト７１は、その平面形状が略三角形を為すように巻回されている（図３参照）。また、これら一対の歯車プーリ７２の歯数は、同一である。そのため、モータ６１の駆動によりキャタピラベルト７１が駆動されると、一対の歯車プーリ７２は、同一回転数にて同期回転する。
【００３６】
なお、これら駆動ギヤ６５、減速ギヤ輪列６６、ウオームギヤ６７、ウオームホイール６８、回転軸６９、ベルト駆動ギヤ７０、キャタピラベルト７１、歯車プーリ７２によって、駆動力伝達機構が構成される。
【００３７】
図１〜図３に示すように、基台１１の上面であって、支持台４０の下方の部位、すなわち支持台４０と軸方向に重なる部位には、駆動停止手段としての検知センサ８０が取り付けられている。検知センサ８０は、その上端面８０ａからスイッチつまみ８１が突出している。このスイッチつまみ８１は、上端面８０ａ側に押し込めることが可能である。このスイッチつまみ８１を一定量だけ押し込めた場合、モータ６１はその作動が停止される。そのため、支持台４０が下降し、この支持台４０の下面がスイッチつまみ８１を押し込めることで、モータ６１は、自動的に作動停止する。
【００３８】
また、図２に示すように、基台１１の裏面側には、メインスイッチ９０が設けられている。メインスイッチ９０は、モータ６１および検知センサ８０の作動を停止させるものである。すなわち、メインスイッチ９０をオンにしている場合には、後述する駆動スイッチ９１をオンとすることにより、モータ６１および検知センサ８０が作動する。しかしながら、メインスイッチ９０をオフにしている場合には、これらモータ６１および検知センサ８０と、電源部６３とを接続する回路が遮断される。そのため、後述する駆動スイッチ９１をオンとした場合でも、モータ６１および検知センサ８０が作動することはない。
【００３９】
また、図１および図２に示すように、天板３０には、一対の駆動スイッチ９１が設けられている。この駆動スイッチ９１を押し込むことによって、モータ６１はオン作動される。かかる一対の駆動スイッチ９１のうち、一方の駆動スイッチ９１ａは、モータ６１を正転駆動（本実施の形態では、支持台４０を上昇させる向きの駆動；以下、これを正転駆動スイッチ９１ａと呼ぶ。）させるものである。また、他方の駆動スイッチ９１ｂは、モータ６１を逆転駆動（本実施の形態では、支持台４０を下降させる向きの駆動；以下、これを逆転駆動スイッチ９１ｂと呼ぶ。）させるものである。
【００４０】
なお、これら駆動スイッチ９１ａ，９１ｂ（以下、駆動スイッチを総称する場合には、駆動スイッチ９１とする。）は、該駆動スイッチ９１を押し込んでいるときにだけ、オンとなるものである。そのため、駆動スイッチ９１の押し込みを解除すると、即座にオフとなり、モータ６１の駆動は停止する。
【００４１】
これら駆動スイッチ９１のうち、スイッチカバー９２の上面は、天板３０の上面よりも若干突出している。また、駆動スイッチ９１のうち、逆転駆動スイッチ９１ｂの近傍には、作動継続手段としてのスイッチ留め具９３が取り付けられている。スイッチ留め具９３は、平面形状が略楕円状の留め板９４を有している。
【００４２】
留め板９４は、例えばネジ９５によって、天板３０に対して回転自在な状態で固定されている。このネジ９５は、逆転駆動スイッチ９１ｂの近傍に取り付けられている。また、ネジ９５は、略楕円状の留め板９４に対して偏心した状態で取り付けられている。このため、ネジ９５を中心として、偏心固定されている留め板９４を回転させると、該留め板９４が少し撓んだ状態で逆転駆動スイッチ９１ｂの上部に存置される。この存置によって、留め板９４は逆転駆動スイッチ９１ｂのスイッチカバー９２を押したままの状態となる。このようにして、逆転駆動スイッチ９１ｂは、押されたままの状態を維持できる。
【００４３】
続いて、釣り餌押出装置１０の支持台４０に載置される、押出容器１００の構成について、図４を参照して説明する。
【００４４】
押出容器１００は、シリンダ部材１１０と、ピストン部材１２０と、水受け部材１３０とから構成されている。これらシリンダ部材１１０、ピストン部材１２０、および水受け部材１３０は、例えば材質をプラスチックとしている。
【００４５】
これらのうち、シリンダ部材１１０は、筒状の本体部１１１を有していて、この本体部１１１の筒状の内側（以下、内筒部１１２という。）が、いわゆる「うどん」と呼ばれる釣り餌１０１（こい釣り等で使用される。）を収納する部分である。また、シリンダ部材１１０は、その一端側（図４中の下側）が開口部１１３となっている。この開口部１１３を介して、ピストン部材１２０は内筒部１１２に入り込む。また、開口部１１３の外周縁部には、後述するピストン部材１２０の台座部１２２が当接する、リング状のフランジ部１１４が設けられている。
【００４６】
また、シリンダ部材１１０には、本体部１１１に連なって、該シリンダ部材１１０の他端側（図４中の上側）に向かう円錐状のテーパ部１１５が設けられている。テーパ部１１５は、上端側に向かうにつれて先細りとなる円錐状に形成されている。また、シリンダ部材１１０の他端側（図４の上端側）の先端部には、テーパ部１１５よりも先端側に向かって突出部１１６が突出形成されている。なお、突出部１１６には、後述する円錐状の突起部１２４が差し込み可能とされる。このため、突出部１１６も、円錐状かつ内筒状となっている。
【００４７】
突出部１１６には、円形の開口を有する押出口１１７が形成されている。押出口１１７は、内筒部１１２と外部とが連通している開口部分である。そのため、ピストン部材１２０で内筒部１１２に存在する釣り餌１０１が押されると、この押出口１１７から釣り餌１０１が押し出される。この押し出された釣り餌１０１は、円柱状となっている。
【００４８】
また、ピストン部材１２０は、上述の内筒部１１２に挿入されて、該内筒部１１２に存在する釣り餌１０１を押し出すためのものである。このピストン部材１２０は、その外観が、シリンダ部材１１０と近似している。すなわち、ピストン部材１２０は、円筒状（または円柱状）の本体部１２１と、この本体部１２１の一端側（図４では下方側）に設けられている台座部１２２と、本体部１２１の他端側と連なって形成されている円錐状のテーパ部１２３と、他端側のうち最も先端側に位置している円錐状の突起部１２４と、から構成されている。
【００４９】
本体部１２１は、その外径がシリンダ部材１１０の内筒部１１２の内径とほぼ一致しているが、ピストン部材１２０の挿入性を良好にするために、本体部１２１の外径は、内筒部１１２の内径よりも若干小さい。
【００５０】
また、テーパ部１２３のテーパ具合（傾斜角度）は、シリンダ部材１１０の上述のテーパ部１１５の傾斜角度と一致している。また、突起部１２４は、上述の突出部１１６に差し込まれる部分である。突起部１２４が突出部１１６へ差し込まれることにより、内筒部１１２に存在する釣り餌１０１の、内筒部１１２での残留量がほとんど零となる。また、台座部１２２は、その外径が、上述のフランジ部１１４の外径と略一致している。この台座部１２２は、容器置き部４２に直接接触する部分である。このため、台座部１２２の外径は、対向している一対の肉厚部４３の内壁面の間の間隔よりも、若干小さい。
【００５１】
また、水受け部材１３０は、シリンダ部材１１０の本体部１１１の外周面に係止する腕部１３１と、窪み形状の水受け部１３２とを有している。このうち、腕部１３１は、リング状部材の一部が切り取られた構成である。この腕部１３１を含む水受け部材１３０は、例えばプラスチックといった、一定の弾性を有する部材から構成されている。そのため、この腕部１３１の有する弾性によって、水受け部材１３０は、本体部１１１への係止を可能とする弾性変形を行い、本体部１１１の任意の位置に係止させることができる。また、係止させた場合に、当該係止位置を維持できる。
【００５２】
また、水受け部１３２は、その全周に亘って所定高さの壁体１３２ａを有している。そのため、水受け部１３２に溜まった水は、外部に漏れなくなる。水受け部１３２には、例えばスポンジ部材１３３が、水を含んだ状態で挿入される。
【００５３】
以上の構成を有する釣り餌押出装置１０の動作について、以下に説明する。
【００５４】
まず、シリンダ部材１１０の内筒部１１２に、釣り餌１０１を収納する。内筒部１１２に入れられる釣り餌１０１の量は、ピストン部材１２０のシリンダ部材１１０に対する挿入が妨げられない程度であって、容器置き部４２に押出容器１００を載置した場合に、フランジ部１１４が天板３０と干渉しない程度とする。
【００５５】
釣り餌１０１を内筒部１１２へ収納するのと前後して、ユーザは逆転駆動スイッチ９１ｂ（スイッチカバー９２）を押す。すると、モータ６１が逆転駆動され、支持台４０は基台１１側に向かって下降する。なお、逆転駆動スイッチ９１ｂ（スイッチカバー９２）を押す場合、留め板９４を回転させて、逆転駆動スイッチ９１ｂのスイッチカバー９２の上部に該留め板９４が位置するようにしても良い。この場合には、ユーザがスイッチカバー９２を押している指を離しても、逆転駆動スイッチ９１ｂをオンにしている状態が維持される。
【００５６】
モータ６１の逆転方向の駆動力は、該モータ６１の駆動ギヤ６５、減速ギヤ輪列６６、ベルト駆動ギヤ７０、キャタピラベルト７１、一対の歯車プーリ７２を介して、一対のネジ軸２１に伝達される。そして、一対のネジ軸２１は、逆転方向に回転する。この場合、２つのネジ軸２１は同一回転数にて同期回転する。そのため、支持台４０は、左右のバランスがくずれない状態、すなわち平衡状態で下降する。
【００５７】
モータ６１の逆転駆動が所定時間継続されると、支持台４０の下降によって、該支持台４０の下面が検知センサ８０のスイッチつまみ８１を押し込む。スイッチつまみ８１の押し込み量が所定量に達すると、モータ６１の逆転駆動のための電流が導通されている回路が開放状態となり、モータ６１の駆動が停止される。そのため、この後に逆転駆動スイッチ９１ｂをオンにしても、モータ６１は、以後は逆転方向に駆動されない。
【００５８】
なお、通常は、ユーザは支持台４０の下面がスイッチつまみ８１を押し込む前に、逆転駆動スイッチ９１ｂのオン状態を解除する。そのため、ユーザが希望する高さ位置に支持台４０が存在する状態となる。釣り餌１０１の量に対応させて、フランジ部１１４を早く係止部３１ａに係止させるためである。
【００５９】
続いて、容器置き部４２に押出容器１００を載置する。この押出容器１００の載置に前後して、シリンダ部材１１０に水受け部材１３０を係止させておく。なお、押出容器１００を容器置き部４２に載置する前に、水受け部材１３０をシリンダ部材１１０に係止させたときは、容器置き部４２への押出容器１００の載置に際して、水受け部材１３０のシリンダ部材１１０に沿った位置調整を行う必要が生じる場合がある。
【００６０】
この後に、ユーザは正転駆動スイッチ９１ａ（スイッチカバー９２）を押してオン状態とし、モータ６１を作動させる。すると、今度は、モータ６１は正転駆動され、該モータ６１の駆動力が、駆動ギヤ６５、減速ギヤ輪列６６、ベルト駆動ギヤ７０、キャタピラベルト７１、一対の歯車プーリ７２を介して、一対のネジ軸２１に伝達される。そして、一対のネジ軸２１は、正転方向に回転する。この場合も、２つのネジ軸２１は同一速度で同期回転し、支持台４０は、平衡状態を維持した状態で上昇する。
【００６１】
支持台４０が所定だけ上昇すると、フランジ部１１４が係止部３１ａに係止する。そのため、フランジ部１１４を有するシリンダ部材１１０は、これ以上上昇しなくなる。しかしながら、モータ６１は、依然として正転駆動されている。そのため、支持台４０は上昇し続け、それによってピストン部材１２０も上昇を続ける。それによって、内筒部１１２に存在している釣り餌１０１が、押出口１１７から押出されてくる。
【００６２】
釣り餌１０１が、押出口１１７から適宜の分量だけ押し出されてくると、ユーザは正転駆動スイッチ９１ａ（スイッチカバー９２）から指を離し、モータ６１のオン状態を解除して駆動停止させる。また、ユーザは、押し出された釣り餌１０１を、指で摘み取って所定の形状に形作る。なお、この指での形作りに際しては、水受け部１３２に存在するスポンジを触る等して、指先を水で濡らすのが良い。また、形作った釣り餌１０１を即座に使用しない場合には、当該形作った釣り餌１０１を、水受け部１３２に置いた状態とする。すると、釣り餌１０１が乾いて硬くなるのが防止される。
【００６３】
その後は、釣り餌１０１が必要となったときに、正転駆動スイッチ９１ａを押し、ピストン部材１２０を少し上昇させ、釣り餌１０１を少量押出口１１７から押し出させ、正転駆動スイッチ９１ａを離す。そして、押し出された釣り餌１０１を指で摘み取る。以上のような動作を、ユーザは必要に応じて行う。それにより、ユーザは、必要とするときに、必要とする分量の釣り餌１０１を押し出すことができる。
【００６４】
このような構成の釣り餌押出装置１０によれば、モータ６１の駆動によって、押出容器１００（押出口１１７）から釣り餌１０１が自動的に押し出される。それにより、ユーザは、従来の釣り餌押出装置を用いた場合のような、摘みを手で掴んで回す、といった手動による動作から開放される。特に、押出容器１００の内部（シリンダ部材１１０の内部）に、釣り餌１０１がなくなった場合等、摘みを相当な時間の間、逆回転させる必要がある場合、ユーザにとって、非常に便利なものとなる。
【００６５】
また、釣り餌１０１が押出口１１７から自動的に押し出される。このため、モータ６１が作動している間、ユーザの手が掛からなくて済む。それにより、ユーザは、手を用いる他の作業を行ったり、ポケットに手を入れて寒さを防ぐ等の動作を行える。
【００６６】
また、駆動スイッチ９１には、正転駆動スイッチ９１ａと逆転駆動スイッチ９１ｂの２つがある。このため、支持台４０を自在に昇降させることができ、ユーザの利便性が向上する。
【００６７】
さらに、スイッチ留め具９３が設けられているため、該スイッチ留め具９３の留め板９４を回転させて、逆転駆動スイッチ９１ｂの上部に位置させることができる。この場合には、ユーザが逆転駆動スイッチ９１ｂ（スイッチカバー９２）から指を離した場合でも、逆転駆動スイッチ９１ｂを押し続ける状態となり、モータ６１を駆動させ続けることで、支持台４０を一定の位置まで自動的に下降させることができる。
【００６８】
また、留め板９４によって逆転駆動スイッチ９１ｂが押され続け、モータ６１が駆動し続けている場合、支持台４０の下降によって、該支持台４０の下面で検知センサ８０（スイッチつまみ８１）が押し込まれる。このように、支持台４０が一定高さに達すると、該検知センサ８０が自動的に押し込まれる。このため、支持台４０が一定位置に達した場合に、モータ６１の作動を自動的に停止させることができる。それにより、支持台４０が、例えば基台１１等にぶつかった状態でモータ６１が作動し続けるのを防止することができ、該モータ６１の破損を防ぐことができる。また、モータ６１の作動が自動的に停止されるので、電池６３ｂの消費を節約することができる。
【００６９】
以上、本発明の一実施の形態について述べたが、本発明はこれ以外にも変形実施可能である。以下、それについて述べる。
【００７０】
上述の実施の形態では、支持台４０には、２つの肉厚部４３にネジ孔４１が夫々形成されていて、この２つのネジ孔４１にネジ軸２１が夫々挿入されている。そのため、ネジ孔４１とネジ軸２１とが噛み合った状態となっている。しかしながら、支持台４０を図５に示すように構成しても良い。
【００７１】
この図５に示す構成では、各肉厚部４３に長孔４４が１つずつ形成されている。長孔４４のうち、図５中右側の部位は、該長孔４４の内部に向かってネジ山が突出しているネジ孔部４５となっている。また、長孔４４のうち、図５中左側の部位は、ネジ山が存在しない挿通孔部４６となっている。
【００７２】
また、支持台４０には、付勢手段としてのバネ４７の一端が固定されている。このバネ４７は、例えば支柱２０によって支持されていて、その他端側は、例えば支持台４０と対向する部位で仕切り壁５０に当接している。また、バネ４７は、支柱２０に沿ってスライド可能となっている。このバネ４７は、その一端側が支持台４０を、図５中左側に移動させる付勢力を与えている。
【００７３】
このように構成すれば、バネ４７の付勢力によって、通常はネジ孔部４５とネジ軸２１とが噛み合い、モータ６１の駆動によって支持台４０が昇降する。しかしながら、バネ４７の付勢力に逆らって、支持台４０を手で把持して、図５中右側に移動させると、ネジ孔部４５とネジ軸２１との噛み合いが解かれ、ネジ軸２１は挿通孔部４６に位置する。
【００７４】
この場合には、支持台４０をネジ軸２１に沿って自在に昇降させることができる。すなわち、モータ６１の駆動によらずに支持台４０を昇降させることができる。このため、例えば電池６３ｂが切れた場合、電池６３ｂを節約したい場合等において、かかる構成は有効なものとなる。
【００７５】
また、上述の実施の形態においては、ネジ軸２１の回転によって、支持台４０を昇降させる構成について説明している。しかしながら、昇降させるものは、支持台４０には限られない。例えば、フランジ部１１４を係止させる係止部が別の板状部材に存在していて、この板状部材がネジ軸２１に沿って昇降する構成を採用しても良い。なお、この構成では、支持台４０は昇降しなく、単に押出容器１００を載置するのみとする。すなわち、フランジ部１１４を係止させる係止部は、フランジ部１１４を把持するものとなる。
【００７６】
このような構成では、係止部を支持台４０に向かって下降させることができる。そして、係止部が、フランジ部１１４を介してシリンダ部材１１０を下方に下げることで、ピストン部材１２０が該シリンダ部材１１０の内部に押し込まれる。このようにしても、押出口１１７から釣り餌１０１を良好に押し出すことが可能となる。
【００７７】
さらに、上述の実施の形態では、駆動力伝達機構として、駆動ギヤ６５、減速ギヤ輪列６６、ウオームギヤ６７、ウオームホイール６８、回転軸６９、ベルト駆動ギヤ７０、キャタピラベルト７１、歯車プーリ７２を用いた場合について説明しているが、駆動力伝達機構の構成はこれには限られない。例えば、モータ６１の取付位置の工夫によって、ウオームギヤ６７およびウオームホイール６８を省く構成を採用しても良く、また、キャタピラベルト７１を用いずに、各種ギヤおよびドライブシャフトを用いて、ネジ軸２１に駆動力を伝達する構成としても良い。
【００７８】
また、上述の実施の形態では、スイッチ留め具９３は、逆転駆動スイッチ９１ｂを押し続ける構成となっている。しかしながら、スイッチ留め具９３が、正転駆動スイッチ９１ａのみを押し続けるように構成しても良い。また、逆転駆動スイッチ９１ｂと正転駆動スイッチ９１ａのいずれか一方を選択的に押し続けるように構成しても良い。
【００７９】
また、支持台４０の形状、配置は、押出容器１００から釣り餌１０１を良好に押し出すことができれば、どのようなものでも良い。さらに、上述の実施の形態では、支持台４０を昇降させる昇降ガイドとしてネジ軸２１を用いているが、昇降ガイドはネジ軸２１には限られず、例えばベルトを用いて支持台４０を昇降させる構成を採用しても良い。
【００８０】
また、上述の実施の形態では、正転駆動スイッチ９１ａおよび逆転駆動スイッチ９１ｂのいずれも、押したままの状態において、オン作動し続けるものについて説明している。しかしながら、例えば一度押したときにはオン、二度押したときにはオフ、という具合に作動するスイッチ形式を採用しても良い。
【００８１】
【発明の効果】
以上説明したように、本発明によると、簡単に釣り餌を押し出すことが可能となる。また、釣り餌の押し出し作業の煩わしさが解消される。
【図面の簡単な説明】
【図１】本発明の一実施の形態に係る釣り餌押出装置の構成を示す斜視図である。
【図２】図１の釣り餌押出装置の構成を示す側面図であり、押出容器の載置状態を二点鎖線で示す図である。
【図３】図１の釣り餌押出装置の構成を示す平面図であり、所定高さで仕切り壁等を切断した断面図である。
【図４】図１の釣り餌押出装置の支持台に載置される押出容器の構成を示す図であり、シリンダ部材の内部断面を示すと共に、ピストン部材の側面を示す図である。
【図５】図１の釣り餌押出装置の変形例に係り、長孔を有する支持台を示す斜視図であり、長孔の様子を一部断面で示すものである。
【符号の説明】
１０…釣り餌押出装置
１１…基台
２１…ネジ軸（昇降ガイド）
３０…天板
３１…開放部
３１ａ…係止部
４０…支持台
４２…容器置き部
６０…駆動機構
６１…モータ（駆動源）
６５…駆動ギヤ（駆動力伝達機構の一部）
６６…減速ギヤ輪列（駆動力伝達機構の一部）
６７…ウオームギヤ（駆動力伝達機構の一部）
６８…ウオームホイール（駆動力伝達機構の一部）
６９…（駆動力伝達機構の一部）
７０…（駆動力伝達機構の一部）
７１…キャタピラベルト（駆動力伝達機構の一部）
７２…歯車プーリ（駆動力伝達機構の一部）
８０…検知センサ（駆動停止手段）
９１…駆動スイッチ
９１ａ…正転駆動スイッチ
９１ｂ…逆転駆動スイッチ
９３…スイッチ留め具（作動継続手段）
１００…押出容器
１０１…釣り餌
１１０…シリンダ部材
１１４…フランジ部
１１７…押出口
１２０…ピストン部材
【図１】
2004329120.tif 000003
【図２】
2004329120.tif 000004
【図３】
2004329120.tif 000005
【図４】
2004329120.tif 000006
【図５】
2004329120.tif 000007